(57)【要約】【課題】個人情報の保護と誤配防止を図ること。【解決手段】感熱発色層１２を設けた下用紙３の上に感圧接着層１６を介して上用紙４を圧着可能に重ねて隠蔽情報欄２１とする。開示しても良い情報は上用紙４が重なっていない下用紙３のみの部分に印字し、隠蔽すべき情報は上用紙４の上から感熱発色層１２に印字し、印字後に圧力を加えて感圧接着層１６を介して下用紙３に上用紙４を接着することにより、隠蔽情報欄２１に印字された情報を覆い隠すようにする。【選択図】図５
2010030167.tif 000002
【特許請求の範囲】
【請求項１】
基材の表面に感熱発色層からなる情報欄を設けた下用紙の上に、基材の裏面の一縁部を完全接着し、残りの縁部または全部に感圧接着剤を塗布した上用紙が情報欄を覆うように重ねられており、上用紙の上から下用紙の情報欄へ加熱印字した後に加圧すると、下用紙と上用紙が感圧接着剤で剥離可能に接着されることによって情報欄に印字した情報が隠蔽されることを特徴とする情報隠蔽帳票。
【請求項２】
基材の表面に感熱発色層からなる情報欄を設けた下用紙の上に、基材の裏面の周縁部または全部に感圧接着剤を塗布した上用紙が情報欄を覆うように重ねられており、上用紙の上から下用紙の情報欄へ加熱印字した後に加圧すると、下用紙と上用紙が感圧接着剤で剥離可能に接着されることによって情報欄に印字した情報が隠蔽されることを特徴とする情報隠蔽帳票。
【請求項３】
下用紙の基材裏面または上用紙の基材表面もしくは基材裏面のいずれかの面に、情報欄の透過を防止する隠蔽層が設けられていることを特徴とする請求項１または２に記載の情報隠蔽帳票。
【請求項４】
下用紙の情報欄の周囲または上用紙の情報欄対応部の周囲に切り取り線からなる開封部が設けられていることを特徴とする請求項１〜３のいずれか１項に記載の情報隠蔽帳票。
【請求項５】
上用紙の基材が紙厚１５〜１００μｍの薄い用紙で構成されていることを特徴とする請求項１〜４のいずれか１項に記載の情報隠蔽帳票。
【発明の詳細な説明】
【技術分野】
【０００１】
本発明は、プリンタで印字した情報を隠蔽することが可能な情報隠蔽帳票に関する。
【背景技術】
【０００２】
従来、電気やガスや水道等の検針システムでは、検針員が契約者の家庭を巡回して検針結果を通知している。通知の方法としては、検針員がメーターの数値を読み取り、ハンディタイプのサーマルプリンタで印字した検針票を郵便受けに配達することにより行なっているが、従来の検針票の多くは印字された情報が丸見えの状態で配達されていた（例えば特許文献１を参照）。このため、検針票に印字された情報を他人が盗み見ることが可能であり、プライバシーの保護が図れないという問題があった。
【０００３】
また、昨今ではプライバシーを保護する観点から、検針票に印字する個人情報はなるべく隠蔽することが求められている。ところが、仮に検針票に印字した情報をすべて隠蔽してしまうと住所や契約者名等の配達情報が分からなくなり、検針員が誤って別の契約者の家庭に検針票を配達する恐れがある。このような誤配が起こった場合には、契約者の個人情報が外部に流出してしまうという問題があった。
【０００４】
【特許文献１】特開２００３−５４１６６号公報
【発明の開示】
【発明が解決しようとする課題】
【０００５】
本発明は上記のような問題を解決するためになされたものであり、その目的とするところは、他人に知られたくない情報を隠蔽して個人情報の保護を図るとともに、配達に必要な情報は隠蔽せずに誤配を防止することにある。
【課題を解決するための手段】
【０００６】
上記の目的を達成するため、本発明は、基材の表面に感熱発色層からなる情報欄を設けた下用紙の上に、基材の裏面の一縁部を完全接着し、残りの縁部または全部に感圧接着剤を塗布した上用紙が情報欄を覆うように重ねられており、上用紙の上から下用紙の情報欄へ加熱印字した後に加圧すると、下用紙と上用紙が感圧接着剤で剥離可能に接着されることによって情報欄に印字した情報が隠蔽されることを特徴とする情報隠蔽帳票を提供するものである。
【０００７】
また、上記の目的を達成するため、本発明は、基材の表面に感熱発色層からなる情報欄を設けた下用紙の上に、基材の裏面の周縁部または全部に感圧接着剤を塗布した上用紙が情報欄を覆うように重ねられており、上用紙の上から下用紙の情報欄へ加熱印字した後に加圧すると、下用紙と上用紙が感圧接着剤で剥離可能に接着されることによって情報欄に印字した情報が隠蔽されることを特徴とする情報隠蔽帳票を提供するものである。
【０００８】
また、本発明の情報隠蔽帳票において、下用紙の基材裏面または上用紙の基材表面もしくは基材裏面のいずれかの面に、情報欄の透過を防止する隠蔽層が設けられていると、情報欄に印字した情報の隠蔽効果が高まるので好ましい。
【０００９】
また、本発明の情報隠蔽帳票において、下用紙の情報欄の周囲または上用紙の情報欄対応部の周囲に切り取り線からなる開封部を設けて、剥離時に下用紙や上用紙を切り取る構造を採用すれば、開封デザインの自由度が向上する。
【００１０】
さらに、本発明の情報隠蔽帳票において、上用紙の基材が紙厚１５〜１００μｍの薄い用紙で構成されていれば、現状のサーマルヘッドの出力を調整するのみで下用紙への印字が可能になる。
【発明の効果】
【００１１】
本発明によれば、上用紙の上から下用紙の感熱発色層に印字した後、圧力を加えた感圧接着層によって下用紙に上用紙を接着し、情報欄に印字した情報を上用紙で覆い隠すようにしたので、隠蔽すべき情報が外部に漏れることがなく、個人情報の保護を図ることができる。また、開示しても良い情報は上用紙に直接印字するか、あるいは上用紙が重なっていない感熱発色層に印字することにより、配達時に必要な情報を確認することが可能になり、誤配を防止することができる。さらに、印字後に下用紙と上用紙を貼り合わせて情報欄を隠蔽するようにしたので、貼り合わせる前に下用紙と上用紙に事前印刷を施すことが可能になる。
【発明を実施するための最良の形態】
【００１２】
以下、本発明の実施形態を図面に基づいて説明する。
【００１３】
------  構成について  ----------------------------------------------------------
図１は本発明の情報隠蔽帳票を検針票に適用した例を示す図である。図１において、本実施例の情報隠蔽帳票（以下「検針票」という）１は、ハンディタイプのサーマルプリンタで印字可能な連続用紙２で作製したものであり、帯状に連続する下用紙３とそれよりもサイズの小さな単片状の上用紙４とからなり、下用紙３の上に上用紙４を部分的に貼り合わせて構成されている。下用紙３の長手方向には所定間隔ごとにミシン目からなる切り取り線５，５，…が設けられており、この切り取り線５を介して複数枚の検針票１，１，…が互いに切り離し可能に連接されている。
【００１４】
検針票１を連接した連続用紙２は、サーマルプリンタにセットできるように上用紙４を表側にしてロール状に巻き取られた形態を有している。また、図１（ｂ）に示すように、下用紙３の裏面にはそれぞれの検針票１ごとに印字の開始位置と終了位置を示すタイミングマーク６が印刷されており、サーマルプリンタはこのタイミングマーク６を読み取って連続用紙２の紙送り量を制御し、検針票１に情報を印字する際の位置決めを行うようになっている。なお、連続用紙２は上用紙４を裏側にして巻き取られていても良く、また連続用紙２の形態は図示したロール状に限られず、例えば切り取り線５で山折りと谷折りを交互に繰り返して折り畳んだ形態であっても良い。
【００１５】
図２は検針票の断面図である。図２に示すように、本実施例では下用紙３にサーマル用紙を使用しており、この下用紙（以下「サーマル用紙」という）３は、基材１１と感熱発色層１２により構成されている。基材１１としては、例えば普通紙や上質紙あるいは樹脂シート等の各種の素材を用いることができる。感熱発色層１２は、樹脂バインダ中に無色のロイコ染料（電子供与体）と酸性物質（電子受容体）を固体微粒子として分散させて基材の表面に塗布したものであり、サーマルヘッドで感熱発色層１２を加熱するとロイコ染料と酸性物質が反応して発色し、所定事項が印字される。
【００１６】
これに対して、上用紙４は隠蔽用紙として機能するものであり、この上用紙（以下「隠蔽用紙」という）４は、現状のサーマルヘッドの出力を調整するのみで感熱発色層１２への印字が可能となるように、紙厚が薄い用紙や樹脂シート等の基材１３により構成されている。隠蔽用紙４が薄すぎると透過し易く情報隠蔽機能を損なうので、基材１３の厚みは約１５〜１００μｍ（より好ましくは６４μｍ程度）の範囲内のものが好適である。
【００１７】
また、本実施例では隠蔽用紙４に確実な情報隠蔽機能を持たせるため、基材１３の表面に黒色、銀色、紺色等の濃色系の印刷インキで全面印刷や地紋印刷等の透過防止加工を施した隠蔽層１４が設けられている。なお、この隠蔽層１４は隠蔽用紙４の基材１３の表面だけでなく、隠蔽用紙４の基材１３の裏面やサーマル用紙３の基材１１の裏面、あるいはこれらの面すべてに設けられていると、透過防止効果がより一層高まるので好ましい。
【００１８】
図３は検針票の拡大図である。図３に示すように、検針票１はサーマル用紙３の上に隠蔽用紙４を全面接着するのではなく、周縁部のみを部分的に接着してある。すなわち、隠蔽用紙４の基材裏面にはその一辺に沿って接着剤を塗布した強接着層（図２を参照）１５が設けられており、この強接着層１５を介して隠蔽用紙４の縁部がサーマル用紙３に完全接着されている。強接着層１５を構成する接着剤としては、例えば酢酸ビニル・アクリル酸エステル共重合水性エマルジョンからなる強接着粘着糊を使用することができる。
【００１９】
また、隠蔽用紙４の基材裏面には、残りの三辺に沿って感圧接着剤を塗布した感圧接着層１６が設けられている。したがって、隠蔽用紙４の周縁三辺はサーマル用紙３の表面に感圧接着層１６を介して重ねられており、これに圧力を加えると感圧接着層１６の接着力によってサーマル用紙３に圧着される状態になっている。感圧接着層１６を構成する感圧接着剤は、接着後に手で剥がせる程度の剥離性を有するものが好ましく、例えば天然ゴム系ラテックス等を使用することができる。
【００２０】
このように、隠蔽用紙４の一辺を完全接着しておくことで、サーマル用紙３と隠蔽用紙４がバラバラになることがない。このため、サーマルプリンタにセットするときに単片形態はもちろんのこと、２枚の用紙の歪みが発生しないので本実施例のようにロール形態にすることが可能であり、コンパクト化を図ることができる。また、サーマルプリンタでの搬送中に隠蔽用紙４が捲れ上がらないように、完全接着する一辺は搬送方向の先端側に設定するのが好ましい。なお、本実施例ではプリンタでの使用を考慮して隠蔽用紙４の一辺を完全接着してあるが、完全接着の部分は必ずしも設ける必要がなく、また感圧接着の部分については、周縁三辺に感圧接着層１６を設ける替わりに全面に感圧接着層１６を設けても良い。
【００２１】
さらに、図３においてサーマル用紙３の上に隠蔽用紙４が重ねられた領域は隠蔽情報欄２１であり、この隠蔽情報欄２１は検針票１に印字する検針情報のうち隠蔽すべき情報（本実施例では契約者名、使用量、請求金額）を印字する領域になっている。また、サーマル用紙３には、これらの情報を印字する印字欄のほか、「電気使用量のお知らせ」なる表題や「○○電力株式会社」といった連絡先等の不変情報が感熱発色層１２の上に予め印刷インキで印刷されている。
【００２２】
一方、隠蔽用紙４が重なっていないサーマル用紙３のみからなる領域は、開示情報欄２２になっている。この開示情報欄２２は検針情報のうち開示が可能な情報（本実施例では住所と契約者番号）を印字するための領域になっており、これらの情報を印字する印字欄が同じく感熱発色層１２の上に予め印刷インキで印刷されている。なお、印字欄等の不変情報は予め印刷インキで印刷されているが、検針情報の印字の時にサーマルプリンタで感熱発色層１２に事後印刷するようにしても良い。
【００２３】
------  使用方法について  ------------------------------------------------------
図４〜６は検針票の使用方法を示す説明図である。まず、検針員が契約者の家庭を巡回して検針作業を実施した後、図４に示すハンディタイプのサーマルプリンタ３０で検針票１を発行する。その際、図５のように契約者名や使用量あるいは請求金額といった隠蔽すべき情報を隠蔽情報欄２１に印字し、住所や契約者番号といった開示しても問題のない情報を開示情報欄２２に印字するようにする。ここで、隠蔽情報欄２１への印字は、図４に示すプラテンローラ３２に対向配置されたサーマルヘッド３１で隠蔽用紙４の上から加熱して行うので、隠蔽用紙４の下にあるサーマル用紙３の感熱発色層１２には熱が伝わって印字されるが、隠蔽用紙４には感熱発色層１２がないので印字されない。それに対して、開示情報欄２２への印字は隠蔽用紙４の外側にあるサーマル用紙３を直接加熱して行うので、印字された文字を確認することができる。
【００２４】
また、サーマルプリンタ３０の排紙口には一対の圧着ローラ３３，３３が設置されており、印字後の検針票１が圧着ローラ３３，３３間を通過する際に所定の圧力を加えるようになっている。すなわち、検針票１に圧力が加わると感圧接着剤が接着力を持つようになり、隠蔽用紙４の裏面の感圧接着層１６がサーマル用紙３の表面に剥離可能に疑似接着される。なお、本実施例では印字後にサーマル用紙３と隠蔽用紙４を貼り合わせるようにしたので、サーマル用紙３に事前印刷を行うことが可能である。また、この貼り合わせ時にはサーマルプリンタ３０でエネルギーを加えるわけではないので、プリンタのバッテリ寿命も大きく低下しない。
【００２５】
このように、サーマル用紙３の上に隠蔽用紙４を貼り合わせることにより、隠蔽情報欄２１に印字した情報が隠蔽用紙４で隠れて見えなくなる。したがって、契約者名や請求金額等の情報を外部から読み取れない状態で検針票１を配達することが可能になり、個人情報の保護を図ることができる。また、開示情報欄２２は隠蔽用紙４に隠れず表に現れるようになっているので、住所や契約者番号のような配達時に最低限必要な情報を確認することができ、検針票１を誤って別の契約者の家庭に配達するといった誤配を防止することもできる。
【００２６】
さらに、検針票１を受け取った契約者は、図６に示すように隠蔽情報欄２１に貼り合わされている隠蔽用紙４を剥がして内容を確認すればよい。すなわち、隠蔽用紙４をめくると感圧接着層１６と感熱発色層１２との境界面で剥離され、隠蔽情報欄２１が現れて使用量や請求金額等の検針情報を確認することができる。また、隠蔽用紙４の一辺がサーマル用紙３に完全接着されているので、剥がした隠蔽用紙４がゴミにならないという利点もある。
【００２７】
------  変形例について  --------------------------------------------------------
図７と図８は情報隠蔽帳票の他の構成例を示す図である。図７に示すように、本実施例の情報隠蔽帳票１は、サーマル用紙（下用紙）３の上に幅の狭い隠蔽用紙（上用紙）４が横断するように重ね合わされており、隠蔽用紙４の裏面全体には感圧接着剤を塗布した感圧接着層１６が設けられている。また、サーマル用紙３の上に隠蔽用紙４が重なっている領域は隠蔽情報欄２１であり、隠蔽用紙４が重なっていないサーマル用紙３のみからなる領域が開示情報欄２２になっている。なお、感圧接着層１６は本実施例のように隠蔽用紙４の裏面に全面塗布する構成のほか、裏面の周縁部のみに塗布する構成や裏面に所定パターンで塗布する構成を採用しても良い。
【００２８】
この情報隠蔽帳票１によれば、図８に示すように、サーマル用紙３をロール状に巻き取ったサーマルロール７と、隠蔽用紙４をロール状に巻き取った隠蔽ロール８の２つのロールがサーマルプリンタ３０内にセットされる。隠蔽用紙４の裏面には図７に示したように予め感圧接着剤を塗布した感圧接着層１６が設けられている。そして、隠蔽ロール８から繰り出された隠蔽用紙４とサーマルロール７から繰り出されたサーマル用紙３が一対の圧着ローラ３３，３３間を通過する際に加圧され、感圧接着層１６がサーマル用紙３に疑似接着し、サーマル用紙３の上に隠蔽用紙４が剥離可能に貼り合わされる。本実施例においても、圧着ローラ３３，３３間を通過する前にサーマルヘッド３１でサーマル用紙３に事前印刷を行うことが可能である。また、サーマルプリンタ３０では貼り合わせ時のエネルギーが不要であり、プリンタのバッテリ寿命に影響を与えることもない。
【００２９】
図９は情報隠蔽帳票の更に他の構成例を示す図である。上述した実施例では、サーマル用紙３の上に貼り合わせた隠蔽用紙４を剥離して開封するようにしたが、図９に示すように開封時に切り取るような構造にしてもよい。同図の情報隠蔽帳票１は、同じサイズのサーマル用紙（下用紙）３と隠蔽用紙（上用紙）４で構成されており、隠蔽情報欄２１を除く領域に設けられた感圧接着層１６を介してサーマル用紙３と隠蔽用紙４が剥離可能に貼り合わされ、隠蔽情報欄２１に対応する周囲三辺に沿って切り取り用のミシン目からなる開封部２３が設けられていることが特徴である。また、ミシン目の端部には隠蔽用紙４の一部を切り落としたコーナーカット２４が形成されている。
【００３０】
そして、使用時には隠蔽用紙４の上から通常のプリンタで開示可能な情報Ａを開示情報欄２２に印字するとともに、隠蔽すべき情報Ｂは隠蔽用紙４の上からサーマルプリンタで隠蔽情報欄２１に印字することによって情報Ｂのみを隠蔽することが可能になる。開封する際には、同図（ｂ）に示すように隠蔽用紙４のコーナーカット２４を摘んで開封部２３のミシン目を切り離すと、隠蔽用紙４が剥がされ、サーマル用紙３に印字された情報Ｂを確認することが可能になる。このように、剥離時に隠蔽用紙４を切り取る構造を採用し、ミシン目の位置や形状を適宜変更することによって、開封デザインの自由度を大幅に向上させることができる。
【００３１】
なお、図示した例では、開封部２３のミシン目を隠蔽情報欄２１の周囲三辺に沿って設けたが、周囲全体を囲むようにミシン目を形成することで隠蔽用紙４の一部を完全に切り離せるようにし、切り離した隠蔽用紙４を割引券等として使用するという用途も考えられる。また、隠蔽用紙４に開封部２３を設ける替わりに、サーマル用紙３の方に開封部２３を設けることも可能である。また、図９のようにサーマル用紙３と隠蔽用紙４を全面で貼り合わせた場合でも、ミシン目を設けずに開封させるようにすることもできる。さらに、上述した実施例では隠蔽用紙４を通常の用紙で構成したが、隠蔽用紙４の隠蔽情報欄以外の領域に感熱発色層１２を設けて隠蔽用紙４を部分サーマル用紙としても良く、また、サーマル用紙３の裏面に感熱発色層１２を設けてサーマルプリンタで両面印字できるようにしても良い。
【図面の簡単な説明】
【００３２】
【図１】情報隠蔽帳票の構成例を示す外観図であり、（ａ）は連続用紙を表側から見た状態、（ｂ）は連続用紙を裏側から見た状態を示す。
【図２】情報隠蔽帳票の断面図である。
【図３】情報隠蔽帳票の拡大図である。
【図４】情報隠蔽帳票にプリンタで印字する時の状態を示す断面図である。
【図５】隠蔽用紙を接着した後の情報隠蔽帳票の状態を示す外観図である。
【図６】隠蔽用紙を剥がした時の情報隠蔽帳票の状態を示す外観図である。
【図７】情報隠蔽帳票の他の構成例を示す外観図である。
【図８】情報隠蔽帳票にプリンタで印字する時の状態を示す断面図である。
【図９】情報隠蔽帳票の更に他の構成例を示す外観図である。
【符号の説明】
【００３３】
１  情報隠蔽帳票（検針票）
２  連続用紙
３  下用紙（サーマル用紙）
４  上用紙（隠蔽用紙）
５  切り取り線
６  タイミングマーク
７  サーマルロール
８  隠蔽ロール
１１  基材
１２  感熱発色層
１３  基材
１４  隠蔽層
１５  強接着層
１６  感圧接着層
２１  隠蔽情報欄
２２  開示情報欄
２３  開封部
２４  コーナーカット
３０  サーマルプリンタ
３１  サーマルヘッド
３２  プラテンローラ
３３  圧着ローラ
【図１】
2010030167.tif 000003
【図２】
2010030167.tif 000004
【図３】
2010030167.tif 000005
【図４】
2010030167.tif 000006
【図５】
2010030167.tif 000007
【図６】
2010030167.tif 000008
【図７】
2010030167.tif 000009
【図８】
2010030167.tif 000010
【図９】
2010030167.tif 000011